(57)【要約】      （修正有）【課題】既存の嵩上げグレーチングに簡便に盗難対策を施すことができるグレーチング用盗難防止具を提供する。【解決手段】グレーチング本体９ａの下面両側縁沿いに嵩上げ部材９ｂを一体化させた嵩上げグレーチング９へ取着されるグレーチング用盗難防止具であって、基端側を揃え且つ隙間を介して両板面を起立させて主板部２と副板部３とを対向配設すると共に両者の基端側を連結部4で結合形成される平面視コ字状の挟着部１と、主板部２から副板部３が在る側と反対側外方へ延設される側方張出部５と、該側方張出部５の先端部位に付け根部分が結合して、平面視で挟着部１のコ字状開口側から連結部４側へ向かう方向になるように側方張出部５から突き出す突出部６とを具備し、側溝段差部Ｇ３に載置された嵩上げグレーチング９で、嵩上げ部材９ｂに係る一端側立壁部９５を挟着部１が挟着することにより突出部６が隣接する溝蓋の下に潜り込むようにした。【選択図】図１
0003170759.tif 000002
【実用新案登録請求の範囲】
【請求項１】
グレーチング本体(9a)の下面両側縁沿いに、一対の角筒材又は断面コ字形材からなる嵩上げ部材(9b)を一体化させた嵩上げグレーチング(9)へ、着脱自在に取着される金属製のグレーチング用盗難防止具であって、
基端(21,31)側を揃え且つ隙間(ε)を介して両板面を起立させて主板部(2)と副板部(3)とを対向配設すると共に、両者の基端(21,31)側を連結部(4)で結合して形成される平面視コ字状の挟着部(1)と、
前記主板部(2)の下縁から前記副板部(3)が在る側と反対側外方へ延設される側方張出部(5)と、
該側方張出部(5)の先端部位(59)に付け根部分(61)が結合して、ここから平面視で前記挟着部(1)のコ字状開口(10)側から前記連結部(4)側へ向かう方向と同方向になるように、該側方張出部(5)から突き出す突出部(6)と、を具備し、
側溝(G)の段差部(G3)に載置された嵩上げグレーチング(9)で、一の嵩上げ部材(9b)に係る一端側立壁部(95)を前記挟着部(1)が挟着することにより、前記側方張出部(5)が他の嵩上げ部材(9b)の方へ張り出し、前記突出部(6)の突端部分(69)が隣接する溝蓋(CR)の下に潜り込むようにしたことを特徴とするグレーチング用盗難防止具。
【請求項２】
前記主板部(2)及び前記副板部(3)の板面形状を矩形にし、且つ両者共、起立させた板面の鉛直方向長さ(VL)よりも水平方向長さ(HL)の方が長い請求項１記載のグレーチング用盗難防止具。
【請求項３】
前記水平方向長さ(HL)で、主板部(2)に係る水平方向長さ(HL2)よりも副板部(3)に係る水平方向長さ(HL3)を長くし、且つ該主板部(2)の先端部分(29)が平面視で副板部(3)から離れるよう外方へ屈曲して、前記挟着部(1)のコ字状開口(10)に近づくにしたがって前記隙間(ε)の幅を大きくした請求項２記載のグレーチング用盗難防止具。
【請求項４】
前記側方張出部(5)に、外方へ水平延設される水平部分(5a)とその先で先端に向け下降傾斜して延設される傾斜部分(5b)が設けられる請求項１乃至請求項３のいずれか１項に記載のグレーチング用盗難防止具。
【請求項５】
前記主板部(2)の下縁から下方へ延設される下延出部(2b)を形成し、該下延出部(2b)の下縁から外方へ前記側方張出部(5)が延設される請求項４記載のグレーチング用盗難防止具。
【請求項６】
前記側方張出部(5)の張出し幅を形成する水平方向長さ(LL)が前記主板部(2)の水平方向長さ(HL2)よりも短く、且つ該側方張出部(5)が前記主板部(2)の連結部(4)寄り下縁から延設されるようにした請求項５記載のグレーチング用盗難防止具。
【請求項７】
前記挟着部(1)、前記側方張出部(5)、及び前記突出部(6)が、一枚ものの板材で曲げ加工して形成され、さらに、該突出部(6)がその板面(6a)を水平にして該側方張出部(6)から突き出す請求項６記載のグレーチング用盗難防止具。
【考案の詳細な説明】
【技術分野】
【０００１】
本考案は、側溝等の上面開口に蓋がされる嵩上げグレーチングの盗難防止具に関する。
【背景技術】
【０００２】
例えば、平成23年5月26日付け日刊産業新聞記載に『道路側溝ふたのグレーチングが盗まれる被害が連続発生。…「本来、あるはずの溝ふたがないため、歩行者や車両が側溝に転落し、重大な事故に発展する恐れもある」(県警)。』ように、金属製グレーチングの盗難が社会的問題になっている。
こうしたことから、これまでいくつかの対策発明が提案されている（例えば特許文献１,２）。
【先行技術文献】
【特許文献】
【０００３】
【特許文献１】特開２００９−２２８２９５公報
【特許文献２】実用新案登録第３１４２８０３号公報
【考案の開示】
【考案が解決しようとする課題】
【０００４】
しかるに、特許文献１,２等の発明は、新規にグレーチングを設置する場合に有効であっても、既存のグレーチングに適用するのが設置コスト,工事期間等から難しかった。
また、既存の嵩上げグレーチングに対して、跳ね上がり防止金具（特開２０１１−９９２３７公報）が提案されているが、以下のような問題があった。
まず、グレーチング本体が大きくなると、これに伴い嵩上げパイプも一般的に大きくなるが、取付部を嵩上げパイプに嵌挿させて取付けることから、様々なサイズの跳ね上がり防止金具を取り揃えねばならなかった。異なるサイズの取付部を有する跳ね上がり防止金具を設置すれば、嵩上げパイプと取付部との間に隙間ができ、ガタツキが大きくなり不具合が生じる虞が多分にあった。そして、嵩上げパイプに嵌挿させて取付け固定を図ろうとすると、その実施例に示すように四角筒形状で重量的に重くなり、またコスト増を招いた。さらに輸送時に嵩張って、搬送の不便さが予想された。さらにいえば、その構成からプレス加工,曲げ加工等の簡便製法で造ることが難しく、低コスト生産するのが困難であった。加えて、嵩上げグレーチングの嵩上げ部材(嵩上げパイプ)は、四角筒のような角筒材に限らず、溝型鋼等の断面コ字形材も採用されており、斯かる断面コ字形材が採用された嵩上げグレーチングには嵌挿できず、外れ落ちてしまう問題があった。
【０００５】
本考案は上記問題点を解決するもので、既存の嵩上げグレーチングに簡便に盗難対策を施すことができ、しかも軽量にして持ち運びが容易で、且つ大きさの違う嵩上げグレーチングにも簡単に取付けることができ、汎用性を高め、さらに低コスト生産も可能にしたグレーチング用盗難防止具を提供することを目的とする。
【課題を解決するための手段】
【０００６】
上記目的を達成すべく、請求項１に記載の考案の要旨は、グレーチング本体(9a)の下面両側縁沿いに、一対の角筒材又は断面コ字形材からなる嵩上げ部材(9b)を一体化させた嵩上げグレーチング(9)へ、着脱自在に取着される金属製のグレーチング用盗難防止具であって、基端(21,31)側を揃え且つ隙間(ε)を介して両板面を起立させて主板部(2)と副板部(3)とを対向配設すると共に、両者の基端(21,31)側を連結部(4)で結合して形成される平面視コ字状の挟着部(1)と、前記主板部(2)の下縁から前記副板部(3)が在る側と反対側外方へ延設される側方張出部(5)と、該側方張出部(5)の先端部位(59)に付け根部分(61)が結合して、ここから平面視で前記挟着部(1)のコ字状開口(10)側から前記連結部(4)側へ向かう方向と同方向になるように、該側方張出部(5)から突き出す突出部(6)と、を具備し、側溝(G)の段差部(G3)に載置された嵩上げグレーチング(9)で、一の嵩上げ部材(9b)に係る一端側立壁部(95)を前記挟着部(1)が挟着することにより、前記側方張出部(5)が他の嵩上げ部材(9b)の方へ張り出し、前記突出部(6)の突端部分(69)が隣接する溝蓋(CR)の下に潜り込むようにしたことを特徴とするグレーチング用盗難防止具にある。
請求項２の発明たるグレーチング用盗難防止具は、請求項１で、主板部(2)及び前記副板部(3)の板面形状を矩形にし、且つ両者共、起立させた板面の鉛直方向長さ(VL)よりも水平方向長さ(HL)の方が長いことを特徴とする。請求項３の発明たるグレーチング用盗難防止具は、請求項２で、水平方向長さ(HL)で、主板部(2)に係る水平方向長さ(HL2)よりも副板部(3)に係る水平方向長さ(HL3)を長くし、且つ該主板部(2)の先端部分(29)が平面視で副板部(3)から離れるよう外方へ屈曲して、前記挟着部(1)のコ字状開口(10)に近づくにしたがって前記隙間(ε)の幅を大きくしたことを特徴とする。請求項４の発明たるグレーチング用盗難防止具は、請求項１〜３で、側方張出部(5)に、外方へ水平延設される水平部分(5a)とその先で先端に向け下降傾斜して延設される傾斜部分(5b)が設けられることを特徴とする。請求項５の発明たるグレーチング用盗難防止具は、請求項４で、主板部(2)の下縁から下方へ延設される下延出部(2b)を形成し、該下延出部(2b)の下縁から外方へ前記側方張出部(5)が延設されることを特徴とする。請求項６の発明たるグレーチング用盗難防止具は、請求項５で、側方張出部(5)の張出し幅を形成する水平方向長さ(LL)が前記主板部(2)の水平方向長さ(HL2)よりも短く、且つ該側方張出部(5)が前記主板部(2)の連結部(4)寄り下縁から延設されるようにしたことを特徴とする。請求項７の発明たるグレーチング用盗難防止具は、請求項６で、挟着部(1)、前記側方張出部(5)、及び前記突出部(6)が、一枚ものの板材で曲げ加工して形成され、さらに、該突出部(6)がその板面(6a)を水平にして該側方張出部(6)から突き出すことを特徴とする。
【考案の効果】
【０００７】
本考案のグレーチング用盗難防止具は、新規嵩上げグレーチングは勿論のこと、既存の嵩上げグレーチングにも簡単に取付けて盗難対策処理を施すことができ、しかも軽量にして持ち運びが楽で、さらに大きさが違う嵩上げグレーチングにも容易に取付け可能で、汎用性を高め、さらに低コスト生産もできるなど多大な効を奏する。
【図面の簡単な説明】
【０００８】
【図１】実施形態１で、一の嵩上げグレーチングに盗難防止具を取付けようとする説明斜視図である。
【図２】図１の部分拡大図である。
【図３】図１の状態から隣接する両コンクリート製溝蓋を設置した説明斜視図である。
【図４】(イ)が図１の状態から隣接する両溝蓋を図３のごとく設置しようとする説明断面図、(ロ)が図３のIV-IV線矢視図である。
【図５】図１で用いた盗難防止具の斜視図である。
【図６】図５に代わる他態様の盗難防止具の斜視図である。
【図７】図１よりもサイズが大きい他態様の嵩上げグレーチングに盗難防止具を取付けようとする説明斜視図である。
【図８】(イ)が盗難防止具を取着した図７の嵩上げグレーチングで、側溝に蓋をした断面図、(ロ)が(イ)の嵩上げグレーチングを持ち上げようとした説明断面図である。
【図９】実施形態２で、図１に代わる嵩上げ部材を用いた嵩上げグレーチングに、盗難防止具を適用する説明斜視図である。
【図１０】図７に代わる嵩上げ部材を用いた嵩上げグレーチングに、盗難防止具を適用する説明斜視図である。
【図１１】実施形態３で、図５に代わる盗難防止具の斜視図である。
【考案を実施するための形態】
【０００９】
以下、本考案に係るグレーチング用盗難防止具について詳述する。
（１）実施形態１
図１〜図８は本考案のグレーチング用盗難防止具(以下、単に「盗難防止具」ともいう。)の一形態で、図１は嵩上げグレーチングに盗難防止具を取付ける説明用斜視図、図２は図１の部分拡大図、図３は図１の状態から隣接する両コンクリート製溝蓋を設置した説明斜視図、図４は(イ)が図１の状態から隣の溝蓋を設置する様子の説明断面図、(ロ)が図３のIV-IV線矢視図である。図５は図１で用いた盗難防止具の斜視図、図６は図５に代わる他態様の盗難防止具の斜視図、図７は図１よりもサイズが大きな他態様嵩上げグレーチングに盗難防止具を取付けようとする説明斜視図、図８は(イ)が盗難防止具を取着した図７の嵩上げグレーチングで側溝に蓋をした断面図、(ロ)が(イ)の嵩上げグレーチングを持ち上げようとした断面図を示す。尚、図３,図４の嵩上げグレーチングに係るグレーチング本体を、図１のものと異なる他態様構造で表している。
【００１０】
グレーチング用盗難防止具Ｆは、グレーチング本体９ａの下面両側縁沿いに、一対の角筒材又は断面コ字形材からなる嵩上げ部材９ｂを一体化させた嵩上げグレーチング９へ、着脱自在に取着される金属製品である。
グレーチング本体９ａは、主部材９１に連結材９２を格子状に直交させてなる平面視長方形の金属製溝蓋とする。全体形状が規格化された長方形盤状をなし、主部材９１と連結材９２と端板９４と側板９３とを備える公知の溝蓋である。多数の金属製帯板からなる主部材９１とこれに直交する連結材９２とで格子状に形成して、その両側を側板９３で塞ぐ。通称Ｉバーと呼ばれる断面Ｉ字状の帯板からなる主部材９１が、幅方向を上下にして平行に複数配設される。主部材９１の両端を端板９４として、長方形盤のグレーチング本体９ａになっている。図１のグレーチング本体９ａは、縦桟たる主部材９１に透孔９１ａを形成し、該透孔９１ａを貫通するように横桟たる連結材９２を配設して格子状体を形成する。一方、図３,図４の嵩上げグレーチング９に係るグレーチング本体９ａの連結材９２は、金属製棒状材を捩ったツイスト棒(クロスバーとも呼ばれる。)からなる。連結材９２は、主部材９１をその帯幅方向を垂直起立させ且つ所定ピッチで複数配設した後、これらと直交するようにして所定間隔離して主部材９１の上面に載置される。その後、主部材９１と連結材９２とを電気圧接固定して格子状とし、両側横方向に側板９３を固着して長方形盤に組み立てられる。符号９０は主部材９１と連結材９２とを格子状に配設することによってできるスリットを示す。本考案のグレーチング本体９ａは、主部材９１に連結材９２を格子状に直交させてなる平面視長方形の金属製溝蓋であれば、図１や図３,図７のものに限定されず、その形状を問わない。
本実施形態は、グレーチング本体９ａの下面両側縁沿いに、一対の角筒材からなる嵩上げ部材９ｂを一体化させた嵩上げグレーチング９に適用する。金属製四角筒からなる嵩上げ部材９ｂを、側板９３に沿って、グレーチング本体９ａの側板９３寄り下面に固着する。嵩上げグレーチング９が側溝Ｇに配された時、嵩上げ部材９ｂの四角筒が横に寝る格好になる。嵩上げ部材９ｂの高さｈは、図１の高さｈ１よりも図７の高さｈ２の方が高くなっている。そして、一の嵩上げ部材９ｂが他の嵩上げ部材９ｂと対向する内側に位置する立壁部９５ａで、一端側開口９８周りの一端側立壁部９５に盗難防止具Ｆが取着される。
【００１１】
盗難防止具Ｆは、挟着部１と側方張出部５と突出部６とを具備する。
挟着部１は、主板部２と副板部３と連結部４とを備える平面視コ字状の板状部である。ここで、本考案は図４(イ)の右側盗難防止具Ｆが正面図で表したものとする。本考案の上方とは図４(イ)の紙面上方をいい、鉛直方向とはその紙面垂直下方向をいい、水平方向とはその紙面左右横方向を含んだ紙面垂直面上の一方向をいう。基端２１,３１側を揃え且つ隙間εを介して両板面２ａ,３ａを起立させて主板部２と副板部３とを対向配設すると共に、両者の基端２１,３１側を連結部４で結合して、挟着部１が形成される。
本実施形態は図５の盗難防止具Ｆを採用する。尚、本考案でいう挟着部１が平面視コ字状の板状部であるとは、図６のような他態様品で、主板部２と副板部３との一部に接点Ｐが形成されても、先端部分２９,３９を拡開することによって接点Ｐが離れ平面視コ字状になれば、これも本盗難防止具Ｆに含むものとする。
【００１２】
ここでは、主板部２及び副板部３の板面形状を矩形にし、且つ両者共、起立させた板面２ａ,３ａの鉛直方向長さＶＬよりも水平方向長さＨＬの方を長くする。側溝Ｇの段差部Ｇ３に載置された嵩上げグレーチング９で、一の嵩上げ部材９ｂに係る一端側立壁部９５を前記挟着部１が挟着することになるが(図１,図２)、水平方向長さＨＬの方を長くすることによって、嵩上げ部材９ｂの一端側開口９８からの挟着域が長くなり、挟着力が高められるからである。また、サイズの大きな嵩上げ部材９ｂに挟着した場合、図７のように挟着部１の上方に立壁部９５の一部９５１が露出して一見支障をきたすように見える。しかるに、鉛直方向長さＶＬよりも水平方向長さＨＬの方を長くすると、溝蓋ＣＲと共に盗難防止具Ｆを取着した嵩上げグレーチング９が側溝Ｇに設置された後、該嵩上げグレーチング９を盗み出そうと持ち上げても、副板部の先端部分２９が嵩上げ部材９の上壁部９６に早い段階で当たって傾倒度合が小さくなり(図８のロ)、隣接する溝蓋ＣＲに間違いなく係止され、好都合になっている。盗難防止具Ｆとして機能発揮できる。
また、主板部２の先端部分２９が平面視で副板部３から離れるよう外方へ屈曲して、挟着部１のコ字状開口１０に近づくにしたがって、図５のごとく隙間εの幅を大きくする。嵩上げ部材９ｂの立壁部９５へ挟着部１を挟み込み易くするためである。さらに、主板部２の下縁から下方へ延設される下延出部２ｂを形成し、該下延出部２ｂの下縁から外方へ側方張出部５が延設される構成とする。下延出部２ｂを形成するのは、主板部２が嵩上げ部材９ｂに係る下壁部９７の厚み分をも含めて該嵩上げ部材９ｂに当接して、挟着部１による挟着力を高める狙いがある。
【００１３】
側方張出部５は、主板部２の下縁から副板部３が在る側と反対側外方へ延設される板部である。ここでの側方張出部５は、板部からなり、その張出し幅を形成する水平方向長さＬＬが主板部２の水平方向長さＨＬ２よりも短く(図２,図５)、且つ該側方張出部５が主板部２の連結部４寄り下縁から延設される側方張出部５とする。挟着部１のコ字状開口１０側の部分を省いてスリム化し、できる限り軽量化するためである。
側方張出部５には外方へ水平延設される水平部分５ａとその先で下降傾斜して延設される傾斜部分５ｂが設けられる。水平部分５ａを設けることによって側溝段差部Ｇ３を越えることを可能にし、傾斜部分５ｂを設けることによって、側方張出部５の先端部位５９から突き出す突出部６の突端部分６９が隣接するコンクリート製溝蓋ＣＲの下に潜り込み易くする。ここでは、下降傾斜した傾斜部分５ｂの先端からさらに水平部分５ｃが延出して、側方張出部５の先端部分(先端部位)５９とする。尚、この先端部分(先端部位)５９は突出部６の付け根部分６１とみなすこともできる。
【００１４】
突出部６は、側方張出部５の先端部位５９に付け根部分６１が結合して、ここから平面視で、挟着部１のコ字状開口１０側から連結部４側へ向かう方向と同方向になるように、側方張出部５から突き出す金属製板部(又は棒状部)である。側方張出部５の張り出し方向に対し、図２,図５のように突出部６が直角に曲って突き出すようにしている。本実施形態は、突出部６が板部で、その板面６ａを水平にして側方張出部５から突き出すようにしている。挟着部１に係る主板部２,副板部３,連結部４や、側方張出部５,突出部６が全て板片からなり、これらを溶接固定して盗難防止具Ｆとするが、例えば側方張出部５付き主板部２を一の板片からなるものであってよい。さらに、挟着部１、側方張出部５、及び突出部６が、一枚ものの板材で曲げ加工して形成される盗難防止具Ｆとすることもできる。
【００１５】
斯かる挟着部１,側方張出部５,突出部６を備える盗難防止具Ｆが、側溝Ｇの段差部Ｇ３に載置された嵩上げグレーチング９で、一の嵩上げ部材９ｂに係る一端側立壁部９５を前記挟着部１が挟着することにより、側方張出部５が他の嵩上げ部材９ｂの方へ張り出す。そうして、突出部６の突端部分６９が隣接する溝蓋ＣＲの下に潜り込むように構成した盗難防止具Ｆとする(図４のロ)。嵩上げグレーチング９に取着した盗難防止具Ｆに係る突出部６の突端部分６９が、隣接するコンクリート製溝蓋ＣＲの端面ＣＲ０寄り裏面ＣＲ１に潜り込む。符号Ｇ０は側溝の上面、符号Ｇ１はその底部、符号Ｇ２はその側部、符号ＳＴじゃ側溝Ｇの流路を示す。
【００１６】
（２）実施形態２
本実施形態は、一対の角筒材からなる嵩上げ部材９ｂを採用した実施形態１に代えて、一対の断面コ字形材からなる嵩上げ部材９ｂを採用する。嵩上げグレーチング９は、角筒材を用いたものの他に、例えば断面が「コ」形に近い形鋼たる溝形鋼等の断面コ字形材からなる嵩上げ部材９ｂが用いられる。嵩上げ部材９ｂは、例えば図９,図１０のごとく配して嵩上げグレーチング９になる。図９が図１に対応するグレーチング本体９ａを用いた嵩上げグレーチング９で、図１０が図７に対応するグレーチング本体９ａを用いた嵩上げグレーチング９である。嵩上げグレーチング９が側溝Ｇに配された時、嵩上げ部材９ｂが横に寝る格好になる。一の嵩上げ部材９ｂが他の嵩上げ部材９ｂと対向する立壁部９５で、一端側立壁部９５に盗難防止具Ｆが取着される。他の構成は実施形態１と同様で、その説明を省く。実施形態１と同一符号は同一又は相当部分を示す。
【００１７】
（３）実施形態３
本実施形態は、図５に示した盗難防止具Ｆの実施形態１に代えて、図１１ごとくの盗難防止具Ｆとする。図１１(イ)の盗難防止具Ｆは、図５のものと基本形状を同じくするが、その厚みが小さくなっている。図１１(ロ)の盗難防止具Ｆは図１１(イ)のものに代わる他態様品である。図１１(イ),(ロ)の盗難防止具Ｆは、共に挟着部１、側方張出部５、及び突出部６が、一枚ものの板材で曲げ加工して形成される。一枚ものの板材で曲げ加工形成できるので、製品(盗難防止具Ｆ)は一層の低コスト化が図れる。
図１１(ロ)の盗難防止具Ｆは、挟着部１で、平面視コ字状を形成する主板部２の水平方向長さＨＬ２よりも副板部３の水平方向長さＨＬ３の方を長くしている。主板部２の水平方向長さＨＬ２よりも副板部３の水平方向長さＨＬ３の方を長くすることによって、側溝Ｇへの設置後に、該嵩上げグレーチング９を盗み出そうと持ち上げても、副板部３の傾倒度合がより少なくなり(図８のロ参照)、隣接する溝蓋ＣＲにより確実に係止できるからである。尚、図示を省略するが、実施形態１でも図１１(ロ)に対応する盗難防止具Ｆを作製できる。他の構成は実施形態１と同様で、その説明を省く。実施形態１と同一符号は同一又は相当部分を示す。
【００１８】
（４）効果
このように構成した盗難防止具Ｆは、側溝段差部Ｇ３に載置される嵩上げグレーチング９で、その嵩上げ部材９ｂに係る一端側立壁部９５に挟着部１で挟着することにより、突出部６の突端部分６９が隣接する溝蓋ＣＲの下に潜り込むよう構成するので(図４のロ、図８のイ)、嵩上げグレーチング９を持上げようとしても突出部６が隣接する溝蓋ＣＲの端面寄り裏面ＣＲ１に当たって閊える。盗難防止具Ｆを取着し金属製嵩上げグレーチング９が側溝Ｇに設置されると、いちいち時間をかけて隣の重いコンクリート製溝蓋ＣＲを外してからでないと該嵩上げグレーチング９を持上げて盗み出すことができない。時間がかかり手間取ると、盗人はあきらめるケースが多いとされることから、さほど費用をかけずに簡便に盗難被害を免れることができる。
本盗難防止具Ｆは、平面視コ字状の挟着部１を備えて、嵩上げ部材９ｂに係る一端側立壁部９５を挟着部１で挟み込んで取着する構成であるので、新規敷設の嵩上げグレーチングは勿論、既存の嵩上げグレーチング９にも難なく対応できる。特許文献１,２のように盗難防止のための大掛かりな改良を要しない。
【００１９】
そして、基端２１,３１側を揃え且つ隙間εを介して両板面を起立させて主板部２と副板部３とを対向配設すると共に、両者の基端２１,３１側を連結部４で結合して形成される平面視コ字状の挟着部１を備えるので、嵩上げグレーチング９の嵩上げ部材９ｂの形状に左右されずに取着できる。嵩上げ部材９ｂが角筒材だけでなく断面コ字形材でも、その一端側立壁部９５に挟着部１を簡単に挟着できる。
また、本盗難防止具Ｆは、平面視コ字状の挟着部１で嵩上げ部材９ｂに取着されるので、特開２０１１−９９２３７公報の跳ね上がり防止金具と違って、軽量化,コンパクト化が図れる。持ち運びや保管が楽になる。さらに、嵩上げグレーチング９のサイズが大きくなり、これに伴い大きくなった嵩上げ部材９ｂに対しても、嵩上げ部材９ｂに係る一端側立壁部９５に、コ字状開口１０側の口を開けて挟着部１を容易に取着できる。
【００２０】
加えて、主板部２及び副板部３の板面形状を矩形にし、且つ両者共、起立させた板面の鉛直方向長さＶＬよりも水平方向長さＨＬの方を長くすると、盗難防止具Ｆを取着した嵩上げグレーチング９のサイズが大きくて、図７のように盗難防止具Ｆが取着された立壁部９５の上部分９５１が露出する格好になっても、側溝Ｇへ設置後、嵩上げグレーチング９を持上げた際に、図８(ロ)のように副板部３が上壁部９６に当たってその傾倒が抑えられ、隣接する溝蓋ＣＲに確実に係止される。本盗難防止具Ｆは適用範囲が広く、汎用性が高い。前記水平方向長さＨＬで、主板部２に係る水平方向長さＨＬ２よりも副板部３に係る水平方向長さＨＬ３を長くすれば、副板部２の傾倒度合がより一層少なくなり、隣接する溝蓋ＣＲにより確実に係止されることとなる。
また、主板部２の先端部分２９が平面視で副板部３から離れるよう外方へ屈曲して、前記挟着部１のコ字状開口１０に近づくにしたがって隙間εの幅を大きくすると、コ字状開口１０の間口が広くなって、嵩上げ部材９ｂの立壁部９５に挟着部１を取着するのが容易になる。
【００２１】
さらに、側方張出部５に、外方へ水平延設される水平部分５ａとその先で先端に向け下降傾斜して延設される傾斜部分５ｂが設けられると、突出部６が側方張出部５から水平に突き出すだけで、特に溝蓋ＣＲに干渉させることなく、図４(ロ)のごとく隣接する溝蓋ＣＲの下に、突出部６の先端部分６９を円滑に潜り込ませることができる。
さらにいえば、主板部２の下縁から下方へ延設される下延出部２ｂを形成し、該下延出部２ｂの下縁から外方へ側方張出部５が延設されると、主板部２が嵩上げ部材９ｂに係る下壁部９７の厚み分をも該嵩上げ部材９ｂに当接して、挟着部１による挟着をより強くすることができる。
また、側方張出部５の張出し幅を形成する水平方向長さＬＬが主板部２の水平方向長さＨＬ２よりも短く、且つ側方張出部５が主板部２の連結部４寄り下縁から延設されるようにすると、挟着部１のコ字状開口１０側の部分を省いて軽量化できる。また、挟着部１、側方張出部５、及び突出部６が、一枚ものの板材で曲げ加工して形成され、さらに突出部６がその板面６ａを水平にして側方張出部５から突き出すと、盗難防止具Ｆの作製が簡単になり、一層のコスト低減を実現できる。このように、本盗難防止具Ｆは上述した数々の優れた効果を発揮し、極めて有益となる。
【００２２】
尚、本考案においては前記実施形態に示すものに限られず、目的,用途に応じて本考案の範囲で種々変更できる。挟着部１,主板部２,副板部３,連結部４,側方張出部５,突出部６,嵩上げグレーチング９等の形状,大きさ,個数,材質等は用途に合わせて適宜選択できる。
【符号の説明】
【００２３】
１                挟着具
１０              コ字状開口
２                主板部
２１,３１          基端
３                副板部
４                連結部
５                側方張出部
５ａ              水平部分
５ｂ              傾斜部分
５９              先端部位
６                突出部分
６１              付け根部分
６９              突端部分
６ａ              板面
９                嵩上げグレーチング
９ａ              グレーチング本体
９ｂ              嵩上げ部材
９５              立壁部
Ｆ                グレーチング用盗難防止具（盗難防止具）
ＣＲ              溝蓋
Ｇ                側溝
Ｇ３                段差部
ε                隙間
【図１】
0003170759.tif 000003
【図２】
0003170759.tif 000004
【図３】
0003170759.tif 000005
【図４】
0003170759.tif 000006
【図５】
0003170759.tif 000007
【図６】
0003170759.tif 000008
【図７】
0003170759.tif 000009
【図８】
0003170759.tif 000010
【図９】
0003170759.tif 000011
【図１０】
0003170759.tif 000012
【図１１】
0003170759.tif 000013